(57)【特許請求の範囲】
【請求項１】
測定時刻を設定する時刻設定手段と、前記設定時刻に血圧測定を促す報知を行うか、自動血圧測定を行うかの別を設定する測定種別設定手段とを備え、測定時刻に応じ、血圧測定を促す報知か、自動測定を行うかの選択をできるようにし、前記自動測定の測定時に、被測定者が覚醒していたか否かの別を入力する手段を備えたことを特徴とする電子血圧計。
【請求項２】
前記時刻設定手段は、測定開始時間と測定時間間隔を設定し得るものであることを特徴とする請求項１記載の電子血圧計。
【請求項３】
前記時刻設定手段は、時間帯を設定し得るものであり、前記測定種別設定手段は前記時間帯毎に、測定時刻に血圧測定を促す報知を行うか、自動測定を行うかの別を設定するものであることを特徴とする請求項１記載の電子血圧計。
【請求項４】
前記測定時間及び測定種別の設定を、外部から通信手段により入力し得るようにしたことを特徴とする請求項１、請求項２または請求項３記載の電子血圧計。
【請求項５】
前記測定の結果を、通信手段により外部に出力し得るようにしたことを特徴とする請求項１、請求項２、請求項３または請求項４記載の電子血圧計。
【請求項６】
前記自動測定終了後、所定の時間内に被測定者が覚醒していた旨の入力を有効にする覚醒入力手段を有することを特徴とする請求項１記載の電子血圧計。
【請求項７】
前記自動測定終了後、被測定者の記憶をもとに自動測定時に覚醒していたか否かの別を、さかのぼって入力する手段を有することを特徴とする請求項１または請求項６記載の電子血圧計。
【発明の詳細な説明】
【０００１】
【発明の属する技術分野】
この発明は、間隔をおいて自動測定をなし得る電子血圧計に関する。
【０００２】
【従来の技術】
間隔をおいて、連続的に測定し得る電子血圧計として、従来、測定時間になるとお知らせ音を出して、血圧測定を促すもの、タイマを内蔵し、例えば３０分間隔で血圧を自動測定し、記録するもの（特開平５−１１５４４９号、特開平５−６８６６９号）などがある。
【０００３】
【発明が解決しようとする課題】
上記した従来の電子血圧計のうち、測定時間になると音を出して測定を促すものは手動で測定を行うものであり、２４時間測定では夜間の測定を手動で行うため、被験者は夜間起きておく必要があり、事実上、無理があり、２４時間にわたる測定は不可能である。
【０００４】
また、一定時間間隔で自動測定するものは、測定のため被験者は常時血圧計を腕等に装着しておく必要があり、被験者の負担になるという問題がある。
この発明は上記問題点に着目してなされたものであって、装置を常時装着する必要がなく、それでいて睡眠時も血圧測定を自動的に測定し得る電子血圧計を提供することを目的としている。
【０００５】
【課題を解決するための手段】
この発明の電子血圧計は、測定時刻を設定する時刻設定手段と、前記設定時刻に血圧測定を促す報知を行うか、自動血圧測定を行うかの別を設定する測定種別設定手段とを備え、測定時刻に応じ、血圧測定を促す報知か、自動測定を行うかの選択をできるようにし、前記自動測定の測定時に、被測定者が覚醒していたか否かの別を入力する手段を備えている。
【０００６】
この電子血圧計は、予め時刻設定手段により、測定時刻を設定し、その測定時刻に達すると、血圧測定を促す報知を行うか、自動血圧測定を行うかの別を設定しておく。実際に測定時刻が到来すると、対応して設定してある血圧測定を促す報知を行うか、自動血圧測定を行う。血圧測定を促す報知は覚醒していると思われる時間に設定しておくと、被験者は報知があった時刻にカフを装着すればよい。自動血圧測定は睡眠中と思われる時間に設定される。この場合、睡眠中は事前にカフを装着しておくことになる。
【０００７】
なお、測定時間の設定は、測定開始時間と測定時間間隔を設定するものであり、測定開始時間の到来と、その後、測定時間間隔の経過毎の動作モードを設定しておいてもよい。
また、時刻設定手段は時間帯を設定し得るものであり、この時間帯内の測定時刻に同一種別（モード）の動作を行うようにてもよい。
【０００８】
また、時間の設定、動作種別の設定は、外部から通信手段により、行うようにしてもよい。同様に、測定の結果を通信手段により、外部に出力するようにしてもよい。
また、この電子血圧計は、自動血圧測定時に、被測定者が覚醒していたか否かの別を入力する手段を備えているが、この被測定者が覚醒していたか否かの入力は、自動血圧測定終了後に、所定の時間内に被測定者が覚醒していた旨の入力を行うものであってもよいし、自動測定終了後に、被測定者の記憶をもとに自動測定時に覚醒していたか否かの別を、さかのぼって入力するようにしてもよい。
【０００９】
【発明の実施の形態】
以下、実施の形態により、この発明をさらに詳細に説明する。図１は、この発明の一実施形態電子血圧計の構成を示すブロック図である。この実施形態電子血圧計は、血圧計本体１と、腕帯２とから構成され、外部のデータ処理装置３と接続可能に構成されている。
【００１０】
血圧計本体１は、腕帯２を加圧するためのポンプ１１と、腕帯２の空気圧を検出するための圧力検知部１２と、空気圧で排気するための弁１３と、設定、血圧測定等の種々の動作を指示・制御するためのＣＰＵ１４と、設定時刻、動作の種別、測定結果のデータ等を記憶する記憶部１５と、報知のため音を発する報知部１６と、表示部１７と、外部と通信するための通信部１８と、操作部１９とを備えている。また、ＣＰＵ１４は計時機能も備えている。もっとも、血圧計本体１のこれら基本的なハード構成は、既によく知られた一般的な血圧計と特に変わるものではない。
【００１１】
この実施形態電子血圧計の特徴は、間隔をおいて連続的に血圧測定が可能であり、測定時刻と、その測定時刻に測定を促す発音報知をなすか、自動血圧測定をなすかの動作種別を、予め設定し得ることである。
図２は、この実施形態電子血圧計の血圧計本体１の上面を示す図である。表示部１７として最高血圧表示部１７ａ、最低血圧表示部１７ｂ、脈拍表示部１７ｃを有する。また、操作部１９として電源スイッチ／デクリメントキー１９ａ、加圧（スタート）スイッチ／インクリメントキー１９ｂ、決定キー１９ｃ、動作モード切替スイッチ１９ｄを備えている。
【００１２】
次に、図３に示すフロー図により、この実施形態電子血圧計の設定動作を、図４に示すフロー図により、測定動作を説明する。先ず、動作モード切替スイッチキー１９ｄを（設定）時刻とし、インクリメントキー１９ｂ、デクリメントキー１９ａ、及び決定キー１９ｃを操作して、指定時刻（例えば、９時）を設定する（ステップＳＴ１）。そして、動作モード切替スイッチ１９ｄ及び決定キー１９ｃを操作して、血圧測定を促す報知か、自動血圧測定かの動作種別を設定する（ステップＳＴ２）。これは、例えば血圧測定を促す報知とする。同様の測定を１３時、１６時にも行わせる場合にも動作モード切替スイッチ１９ｄを測定に投入しないで、つまり設定終了か？（ステップＳＴ３）の判定がＹＥＳとならない状態で、上記と同様の時刻設定（ＳＴ１）及び動作設定（ＳＴ２）の処理を繰り返す。最後に２時の測定は、通常、被験者（患者）は就寝中であることが予想されるので、この場合の設定は時刻２時を設定する（ＳＴ１）とともに、動作種別として自動血圧測定を設定する（ＳＴ２）。以上の設定動作で記憶部１５には、時刻９時に血圧測定を促す報知、及び時刻１３時、１６時にも血圧測定を促す報知の設定が記憶され、時刻２時に自動血圧測定の設定が記憶される。設定時刻及び動作種別は、データ処理装置３より通信手段を用いて入力してもよい。
【００１３】
次に、このような設定下で被験者が血圧測定を行う場合には、図４に示すように、血圧計本体２による計時で、９時が到来すると、報知部１６を動作させて血圧測定を促すお知らせ音を発する（ステップＳＴ１１）。この音を聞いた被験者は腕帯２を装着して血圧測定を行う（ステップＳＴ１２）。この場合、９時の測定が終了すると、腕帯２を身体から取り外す。
【００１４】
続いて、１３時が到来すると（ステップＳＴ１３）、同様に血圧測定を促す音を発し、これを聞いた被験者は、また腕帯２を装着して血圧測定を行う（ステップＳＴ１４）。１６時が到来した場合も同様に、設定に基づいて血圧測定を促すお知らせ音を発するとともに、それを聞いた被験者が血圧測定を行う（ステップＳＴ１５、ＳＴ１６）。ステップＳＴ１２、ＳＴ１４、ＳＴ１６は、被験者に代えて看護婦、医者等が被験者の身体に腕帯を装着して、血圧測定を行うこともあり得る。
【００１５】
夜間になると、被験者は腕帯２を身体に装着して就寝する。２時が到来すると、加圧ポンプ１１がＯＮされ、加圧が開始され、自動血圧測定が行われる（ステップＳＴ１７）。この場合の測定結果は、記憶部１５に測定時刻とともに記憶される。
測定を終了した翌朝、被験者は（午前）２時の自動血圧測定時に覚醒していたかどうか、覚醒、半覚醒、覚醒無しの３段階で、記録用紙に記入する（ステップＳＴ１８）。この覚醒状態の有無は、操作部１９より入力し、記憶部１５に記録しておき、通信部１８より外部のデータ処理装置３に伝送し得るようにしてもよい。睡眠中であることを予定した自動血圧測定であるが、たまたま被験者が目を覚ましている場合もあり、実際に覚醒していたか否かはデータ値として非常に重要である。そのため、ここでは血圧計に記録された血圧値と覚醒記録を使用することで、正確な睡眠時の血圧を知ることができる。
【００１６】
ここで、上記実施形態電子血圧計において、測定時刻到来で、被験者に血圧測定を促す場合の測定動作について、図５に示すフロー図により、具体的に説明する。
先ず、図４のＳＴ１１、ＳＴ１３、ＳＴ１５の如く、測定時刻が到来すると（ＳＴ２１）、報知部１６より測定お知らせ音を発生する（ＳＴ２２）。これを聞いた被験者がカフ（腕帯）を腕に巻き、測定姿勢をとる（ＳＴ２３）。被験者が加圧（スタート）スイッチ１９ｂを押して、血圧測定を開始する（ＳＴ２４）。カフを所定値まで加圧（ＳＴ２５）した後、減圧過程に入り、血圧測定処理に移る（ＳＴ２６）。ここでの血圧測定は、振動法等、従来よりよく知られたアルゴリズムを用いて行えばよい。測定結果が得られると、急速排気し、測定を終了すると（ＳＴ２７）、血圧測定結果を表示部１７に表示する（ＳＴ２８）。この場合、合わせて血圧測定結果を記憶部１５に測定時刻とともに記憶してもよい。最後に、被験者が測定結果を所定の用紙に記録する（ＳＴ２９）。
【００１７】
次に、上記実施形態電子血圧計において、測定時刻が到来すると、自動血圧測定を行う場合の動作について、図６に示すフロー図により、具体的に説明する。この処理動作があることを予定して、被験者が腕帯を腕に巻いて就寝する（ＳＴ３１）。測定時刻が到来すると（ＳＴ３２）、血圧計が自動的に電源ＯＮとなり、ポンプ１１をＯＮして加圧を開始する（ＳＴ３３）。カフを所定値まで加圧（ＳＴ３４）した後、減圧過程に入り、血圧測定処理に移る（ＳＴ３５）。ここでの血圧測定処理も、振動法等、従来よりよく知られたアルゴリズムを用いて行われる。測定結果が得られると急速排気し、測定を終了する（ＳＴ３６）。そして、その血圧測定結果を表示部１７に表示するとともに、記憶部１５に測定時刻、動作の種別とともに記憶する（ＳＴ３７）。被験者が起床すると（ＳＴ３８）、被験者は測定結果及び覚醒の状態を所定の用紙に記録する（ＳＴ３９）。覚醒状態も操作部１９より入力して、記憶部１５に記憶し、通信部１８よりデータ処理装置３に伝送してもよい。
【００１８】
次に、図７、図８に示すフロー図を参照して、この発明の他の実施形態電子血圧計について説明する。図３、図４で示した電子血圧計では、測定時刻と動作の種別をセットで設定しているが、この実施形態電子血圧計では、測定開始時刻と測定終了時刻を設定するとともに、その時間帯における測定間隔と、動作の種別を設定しておき、測定中は測定開始時刻から測定終了時刻までの時間帯で設定した測定時間間隔で設定された動作を繰り返すようにしている。
【００１９】
設定動作は図７に示すように、先ず、測定開始時刻を設定する（ＳＴ４１）。例えば、図９に示すように、９時から２１時までを３０分間隔をおいて報知による測定をし、それ以後は自動血圧測定を行う場合、測定開始時刻として９時を設定し、続いて測定時間間隔３０分を設定する（ＳＴ４２）。そして、その測定時間間隔３０分の到来毎に行う動作種別を設定する（ＳＴ４３）。図９の例では、被験者に血圧測定を促す報知音を出す動作である。続いて、測定終了時刻を設定する（ＳＴ４４）。図９の例では測定終了時刻は２１時である。最後に、自動血圧測定の時刻を設定する（ＳＴ４５）。図９では２時１回のみの設定である。
【００２０】
この実施形態電子血圧計において、測定時は図８に示すように、測定開始時刻（図９の場合、９時）が到来する（ＳＴ５１）と、測定時間間隔（図９の場合、３０分）経過でアラームを鳴らし、血圧測定を促す（ＳＴ５２）。被験者は腕帯を装着して、血圧測定を行う（ＳＴ５３）。この報知と血圧測定を測定時間間隔毎に繰り返す。測定終了時刻（図９では、２１時）が到来すると（ＳＴ５４）、自動血圧測定の測定時刻（図９では、２時）が来ると（ＳＴ５５）、自動血圧測定を行う（ＳＴ５６）。被験者は起床すると測定時に覚醒したか、どうかの記録を取る（ＳＴ５７）。
【００２１】
なお、図７、図８では、血圧測定を促す報知のみを測定開始時刻から測定終了時刻の間の時間帯内で測定時間間隔毎に行い、自動血圧測定は、その後に１回のみ行う場合について説明したが、血圧測定を促す報知と、自動血圧測定とも、ある時間帯内で繰り返し行う場合には、いずれの場合も、個別に測定開始時刻、測定時間間隔及び測定終了時刻を設定してもよい。その場合、設定時刻は図１０に示すフロー図により、また測定時は図１１に示すフロー図により、それぞれ動作させればよい。
【００２２】
図１２は、この発明のさらに他の実施形態を示すフロー図である。ここでは血圧計に１２時から６時まで、２時間間隔で自動測定を設定する。つまり、１２時、２時、４時、６時の４回の自動測定が設定されている。設定内容を知らされた被測定者が血圧計を装着して就寝する。
上記自動測定時が到来すると（ＳＴ８１）、自動測定を行い（ＳＴ８２）、被測定者が覚醒していた場合（ＳＴ８３）、自動測定終了後に、被測定者が血圧計のいずれかのボタンを押す（ＳＴ８４）。この操作により、血圧計には血圧値ならびに、その血圧測定時に被測定者が覚醒していたことが記録される（ＳＴ８５）。間隔時間（２時間）が経過すれば、そして測定終了時刻でなければ（ＳＴ８６、ＳＴ８７）、ＳＴ８２にリターンして、上記した処理を繰り返す。自動測定時に覚醒していなければ（ＳＴ８３）、当然、ボタンが押されないので、１０分経過後に（ＳＴ８８）、血圧値とともに非覚醒情報を記録する（ＳＴ８９）。
【００２３】
図１３は、この発明のさらに他の実施形態を示すフロー図である。ここでも血圧計は１２時から６時まで、２時間間隔で自動測定を設定する。被測定者は設定内容（１２時、２時、４時、６時の設定）を知らされ、血圧計を装着して就寝する。１２時の測定開始時刻が到来し（ＳＴ９１）、自動測定が終了し（ＳＴ９２、ＳＴ９３）、６時の測定終了時が到来し（ＳＴ９４）、被測定者が起床すると（ＳＴ９５）、被測定者が記録の順番から覚醒していたか否かを思い出す（ＳＴ９６）。例えば、１２時、２時について覚醒していた記憶があれば、覚醒していた時の血圧値に「覚醒」の入力を行う（ＳＴ９７）。
【００２４】
図１４は、この発明のさらに他の実施形態をしめすフロー図である。ここでは、自動測定した後に、起床した時に自動測定した血圧値を順次表示し、その表示血圧値に覚醒の有無を入力する。先ず、自動測定した血圧値を表示し（ＳＴ１０１）、被測定者の記憶で、その測定時に覚醒していれば（ＳＴ１０２）、決定ボタン（図２の１９ｃ：覚醒入力キーとして兼用）を押して、覚醒していたことを入力する（ＳＴ１０３）。測定時に覚醒していない場合は、決定ボタンを押すことなく、インクリメントキーを押して、次の血圧値を表示する（ＳＴ１０４）。覚醒しており、決定ボタンを押した場合も、次にインクリメントキーを押して、次の血圧値を表示する（ＳＴ１０５）。表示内容を見て、記録があればＳＴ１０２に戻り、同様の処理を繰り返す。記録がなければ終了となる。
【００２５】
なお、上記各実施形態電子血圧計において、就寝中に自動血圧測定する場合、加圧開始でポンプの動作音等が高く、せっかく睡眠中の被験者が目を覚ましてしまうと、正確な睡眠中の血圧測定が不可となる。この騒音を低減するために、図１５に示すように、発砲スチロール等、消音あるいは防音可能な材質、あるいは形態を用いた下部ケース体２１と上部蓋体２２からなる箱２０に、血圧計本体１を収納し、収納したままで自動血圧測定を行えば、被験者の目を覚まさせることなく、測定を行うことができる。
【００２６】
【発明の効果】
この発明によれば、測定時刻を設定する時刻設定手段と、前記設定時刻に血圧測定を促す報知を行うか、自動血圧測定を行うかの別を設定する測定種別設定手段とを備え、測定時刻に応じ、血圧測定を促す報知か、自動測定を行うかの選択をできるようにしたので、脳・心血管系障害発生率が４倍になる夜間高血圧に対して、必要な血圧管理に利用できる（引用文献：日本薬事新報Ｎｏ．３８６２、Ｐ９２、桑島巌）。家庭用血圧計を使用して、夜間の測定を行える。ＡＢＰＭのように常時装着しておく必要がなくなり、測定時のみ装着することで、患者の負担が少なくなる。等の効果が得られる。
【図面の簡単な説明】
【図１】この発明の一実施形態である電子血圧計の構成を示すブロック図である。
【図２】同実施形態電子血圧計の上面を示す図である。
【図３】同実施形態電子血圧計における設定動作を説明するためのフロー図である。
【図４】同実施形態電子血圧計の測定動作の概略を説明するためのフロー図である。
【図５】同測定動作の測定時に、測定を促す報知を行う場合の具体動作を説明するためのフロー図である。
【図６】同測定動作の測定時に、自動血圧測定を行う場合の具体動作を説明するためのフロー図である。
【図７】この発明の他の実施形態電子血圧計の設定動作を説明するためのフロー図である。
【図８】同実施形態電子血圧計の設定動作を説明するためのフロー図である。
【図９】同実施形態電子血圧計における測定開始時刻、測定間隔、測定収納時刻、自動血圧測定時刻の一例を示す図である。
【図１０】この発明のさらに他の実施形態電子血圧計の設定動作を説明するためのフロー図である。
【図１１】同実施形態電子血圧計の測定動作を説明するためのフロー図である。
【図１２】この発明のさらに他の実施形態電子血圧計の動作を説明するためのフロー図である。
【図１３】この発明のさらに他の実施形態電子血圧計の動作を説明するためのフロー図である。
【図１４】この発明のさらに他の実施形態電子血圧計の動作を説明するためのフロー図である。
【図１５】就寝中の自動血圧測定において、消音効果を持つ電子血圧計を説明するための外観斜視図である。
【符号の説明】
１        血圧計本体
２        腕帯
１１      ポンプ
１２      圧力検知部
１３      弁
１４      ＣＰＵ
１５      記憶部
１６      報知部
１７      表示部
１８      通信部
１９      操作部
【図１】
0003733797.tif 000002
【図２】
0003733797.tif 000003
【図３】
0003733797.tif 000004
【図４】
0003733797.tif 000005
【図５】
0003733797.tif 000006
【図６】
0003733797.tif 000007
【図７】
0003733797.tif 000008
【図８】
0003733797.tif 000009
【図９】
0003733797.tif 000010
【図１０】
0003733797.tif 000011
【図１１】
0003733797.tif 000012
【図１２】
0003733797.tif 000013
【図１３】
0003733797.tif 000014
【図１４】
0003733797.tif 000015
【図１５】
0003733797.tif 000016